(57)【要約】  取付面（７７２）に対するシートの選択的な貼り付けを可能にするシート固定アセンブリ（７２０）を開示する。シートの基材層（７２１）には、表側（７２２）とこれに対向する裏側（７２４）がある。感圧接着剤（７５６）には、シートの基材層（７２１）の裏側に露出した表面があるが、この露出した表面は奥に入っている。接着剤（７５６）の露出表面よりも高い、シートの裏側で画定される１以上のスタンドオフ要素（７６１）の厚さは、接着剤の露出している表面とは逆のシートの表側に閾値レベルの圧力（Ｐ）が加わらないうちはシートの裏側に当接している表面（７７２）と接着剤（７５６）が接触するのを防ぐのに十分な厚さである。
2007520382.tif 000002
【特許請求の範囲】
【請求項１】
取付基体に選択的に固定できる物品であって、
片側に書き込み可能な面を有し、この面の反対側の第２の側に取付面を有する第１の支持体と、
第１の支持体の第２の側に露出した感圧接着剤を含む圧力閾値接着機構を含む固定機構と、を含み、
閾値レベルの圧力が前記固定機構に加わらないうちは、前記感圧接着剤が前記取付基体から離間して位置し、
固定機構に加わった閾値レベルの圧力によって、前記取付基体に前記感圧接着剤が物品を固定係合するように、前記物品が変形可能である物品。
【請求項２】
前記固定機構が、
開口部が画定された第１の支持体と、
第１の接着面と第２の受圧面とを有し、前記第１の接着面が第１の支持体の書き込み可能な面に接着し、かつ、前記開口部を横断して延在する第２の支持体と、
を含み、
第２の支持体が、前記受圧面に加わった閾値レベルの圧力によって、前記接着剤が取付面に接触するように変形可能である、請求項１に記載の物品。
【請求項３】
前記開口部が第１の支持体の一縁に沿って開放されている、請求項２に記載の物品。
【請求項４】
第２の支持体の第２の受圧面に図柄がある、請求項２に記載の物品。
【請求項５】
前記物品を前記取付基体から取り除くと、前記固定機構が実質的にその元の未変形時の形状に戻る、請求項１に記載の物品。
【請求項６】
第１の支持体が、紙、カード用紙、厚紙、プラスチックフィルム、およびこれらの組み合わせからなる群から選択される、請求項１に記載の物品。
【請求項７】
書き込み可能な表側およびこの側の反対側の裏側とを有する紙層と外面および内面を有するカバー層とを有するインデックスカードアセンブリであって、前記紙層が上縁を有し、紙層の一部が取り除かれていて上縁に沿う間隙を含む紙のないゾーンを画定し、前記カバー層が、その内面に配置された感圧接着剤を有し、この感圧接着剤により前記カバー層が前記紙層の表側に接着されていて前記カバー層の天縁が紙のないゾーンの間隙に沿って延在し、前記カバー層の内面にある前記接着剤が前記紙層の裏側の紙のないゾーンを横断して露出する形で、紙のないゾーンを覆う、インデックスカードアセンブリ。
【請求項８】
前記紙層が厚さを有し、前記カバー層が、この厚さ方向および紙のないゾーンとを横断して屈曲して、前記カバー層の表面上の露出した前記接着剤の少なくとも一部を、前記紙層の裏側と当接係合する表面と接着接触するのに十分に可撓性である、請求項７に記載のインデックスカードアセンブリ。
【請求項９】
カバー層の前記外面が書き込み可能な面である、請求項７に記載のインデックスカードアセンブリ。
【請求項１０】
カバー層の前記外面に図柄がある、請求項７に記載のインデックスカードアセンブリ。
【請求項１１】
図柄が色を含む、請求項１０に記載のインデックスカードアセンブリ。
【請求項１２】
前記接着剤が再配置可能な感圧接着剤である、請求項７に記載のインデックスカードアセンブリ。
【請求項１３】
前記紙層の裏側と当接係合する表面から、表面に向けて前記カバー層を付勢する前記カバー層の外面に加えられる圧力がないうちは、カバー層上の露出した前記接着剤を離間させるのに十分な厚さを前記紙層が有する、請求項７に記載のインデックスカードアセンブリ。
【請求項１４】
複数の前記インデックスカードアセンブリが、それぞれのカバー層の外面に圧力が加わらずに、互いに接着しないで積み重ねられた、請求項１３に記載のインデックスカードアセンブリ。
【請求項１５】
前記間隙が、紙層の上縁に沿って中央に存在する、請求項７に記載のインデックスカードアセンブリ。
【請求項１６】
紙のないゾーンの縁が曲線状である、請求項７に記載のインデックスカードアセンブリ。
【請求項１７】
紙のないゾーンがＶ字形である、請求項７に記載のインデックスカードアセンブリ。
【請求項１８】
紙層の上縁とカバー層の天縁とが同一直線上にある、請求項７に記載のインデックスカードアセンブリ。
【請求項１９】
紙層に、露出した接着剤を有する紙のないゾーンが複数ある、請求項７に記載のインデックスカードアセンブリ。
【請求項２０】
紙層の裏側が書き込み可能であり、さらに、
紙層が下縁を有し、紙層の一部が取り除かれて、下縁に沿う間隙を含む第２の紙のないゾーンが画定され、
外面と内面とを有する第２のカバー層であって、感圧接着剤がその内面にあり、これによって当該カバー層が前記紙層の裏側に接着されていて、第２のカバー層の底縁が第２の紙のないゾーンの間隙を横断して延在し、第２のカバー層の内面の前記接着剤が、紙層の表側の第２の紙のないゾーンを横断して露出する形で、第２の紙のないゾーンを覆う、第２のカバー層をさらに含む、請求項７に記載のインデックスカードアセンブリ。
【請求項２１】
固定機構が、
第１の支持体の第２の側上の第１のほぼ線状の隆起した要素と、
第１の支持体の第２の側上の第２のほぼ線状の隆起した要素であって、第１の隆起した要素とほぼ平行に、そこから間隔をあけて配置された第２の隆起した要素と、を含み、
第１の支持体の第２の側に露出した感圧接着剤の少なくとも一部が、第１の隆起した要素と第２の隆起した要素との間にあり、高さが第１および第２の隆起した要素よりも低い、請求項１に記載の物品。
【請求項２２】
隆起した要素の各々が、連続したストリップ、不連続なストリップ、ビード、複数のビーズ、第１の支持体のリブ、第１の支持体の複数のリブ、第１の支持体の複数の頂部、およびこれらの組み合わせからなる群から選択できるものである、請求項２１に記載の物品。
【請求項２３】
第１の支持体が上縁を有し、固定機構が、
第１の支持体の上縁から、第１の支持体の第２の側に露出した感圧接着剤に向かって延在している素材のスペーサー層を含み、スペーサー層が前記接着剤に対応する形状であり、高さが前記接着剤の高さよりも高く、スペーサー層の前記形状および高さが、閾値レベルの圧力が加わらないうちは前記接着剤を取付基体から離間しておくのに十分な高さである、請求項１に記載の物品。
【請求項２４】
スペーサー層の形状が、１以上の弧がある、前記接着剤に隣接する縁を含む、請求項２３に記載の物品。
【請求項２５】
第１の支持体が上縁を有し、固定機構が、
第１の支持体の上縁から間隔をあけてこれと平行に設けられた、第１の支持体上のミシン線と、
第１の支持体に設けられた切れ目であって、ミシン線の第１の端から、第１の曲線部の上縁に向かって延在し、第１の曲線部から第２の曲線部の上端に沿ってこれと間隔をあけて延在した後、第２の曲線部から上縁を離れてミシン線上の切れ目の第２の端まで延在する切れ目と、を含む、請求項１に記載の物品。
【請求項２６】
切れ目に、第１の支持体の上縁と平行に延在する部分がある、請求項２５に記載の物品。
【請求項２７】
第１の支持体のスペーシング部が、その上縁、ミシン線および切れ目によって画定される、請求項２５に記載の物品。
【請求項２８】
固定機構が、
ミシン線よりも上で第１の支持体の第２の側に配置された前記接着剤と、
その上の接着剤が第１の支持体の第２の側に接着されるように折り曲げられ、これによって、接着剤のある第１の支持体の上側の折り曲げられていないタブ部を画定し、かつ、閾値レベルの圧力が加わらないうちはタブ部の接着剤を取付基体から離間しておけるだけの厚さの隆起した層を第１の支持体の第２の側に形成する第１の支持体のスペーシング部と、をさらに含む、請求項２７に記載の物品。
【請求項２９】
固定機構が、
ミシン線よりも下で第１の支持体の第２の側にある前記接着剤と、
少なくとも一部が前記接着剤で第１の支持体の第２の側に接着されるように折り曲げられ、折り曲げられたスペーシング部が、これに隣接して露出した接着剤よりも隆起した層を形成し、その厚さが、閾値レベルの圧力が加わらないうちは露出した接着剤を取付基体から離間しておけるだけの厚さである、第１の支持体のスペーシング部をさらに含む、請求項２７に記載の物品。
【請求項３０】
固定機構が、第１の支持体の第２の側の隆起した要素であって、高さが前記接着剤の高さよりも高い隆起した要素を含む、請求項１に記載の物品。
【請求項３１】
隆起した要素が、前記接着剤の一部に適用されたマスキング材の層を含む、請求項３０に記載の物品。
【請求項３２】
固定機構が、
第１の支持体の第２の側に形成された凹部を含み、第１の支持体の第１の側は前記凹部に対して表面の不連続性がなく、第１の支持体の第２の側の接着剤が凹部内にのみ存在し、前記凹部は、第１の支持体の第２の側の非凹部に対して比した深さがあり、この深さは閾値レベルの圧力が加わらないうちは取付基体から接着剤を離しておけるだけの十分な深さである、請求項１に記載の物品。
【請求項３３】
第１の支持体に上縁があり、凹部には、第１の支持体の上縁に沿ってこれと間隔をあけて延在する上側の境界がある、請求項３３に記載の物品。
【請求項３４】
第１の支持体に第１および第２の横縁があり、凹部が、第１の支持体を横断してその第１の側縁から第２の横縁まで延在している、請求項３４に記載の物品。
【請求項３５】
露出した感圧接着剤が、第１の支持体の第２の側に縁を有し、固定機構が、
露出した感圧接着剤の縁に隣接する第１の支持体の第２の側の素材のスペーサー層を含み、スペーサー層が、接着剤に対応する形状であり、高さが前記接着剤の高さよりも高く、スペーサー層の前記形状および高さが、閾値レベルの圧力が加わらないうちは前記接着剤を取付基体から離しておくのに十分な高さである、請求項１に記載の物品。
【請求項３６】
第１の側に書き込み可能な面を有し、この面の反対側の第２の側に取付面を有する支持体と、
支持体の第２の側に設けられた感圧接着剤ゾーンであって、第１の高さを有する感圧接着剤ゾーンと、
支持体の第２の側上の第１のほぼ線状の隆起した要素であって、隣接して感圧接着剤ゾーンの第１の境界を画定する第１の隆起した要素と、
支持体の第２の側上の第２のほぼ線状の隆起した要素であって、第１の隆起した要素とほぼ平行にそこから間隔をあけて配置され、隣接して感圧接着剤ゾーンの第２の境界を画定する第２の隆起した要素と、を含み、感圧接着剤が、第１の隆起した要素と第２の隆起した要素との間に延在し、第１および第２の隆起した要素の高さが感圧接着剤ゾーンの第１の高さよりも高い、接着剤により取付可能な物品。
【請求項３７】
感圧接着剤ゾーンが支持体の第１のセクションに設けられ、支持体の第１のセクションが、支持体の第１の側に加わる閾値レベルの圧力によって、取付基体に感圧接着剤ゾーンが物品を固定係合するように、前記物品が変形可能である、請求項３６に記載の物品。
【請求項３８】
物品を取付基体から取り除くと、支持体の第１のセクションが実質的にその元の未変形時の形状に戻る、請求項３７に記載の物品。
【請求項３９】
支持体が、紙、カード用紙、厚紙、プラスチックフィルム、およびこれらの組み合わせからなる群から選択される、請求項３６に記載の物品。
【請求項４０】
第１および第２の隆起した要素の高さが、表面に当接している支持体の感圧接着剤ゾーンとは逆の第１の側に圧力が加わらないうちは、支持体の第２の側と当接係合する表面から感圧接着剤ゾーンを離間しておけるだけの十分な高さである、請求項３６に記載の物品。
【請求項４１】
隆起した要素の各々が、連続したストリップ、不連続なストリップ、ビード、複数のビーズ、支持体のリブ、支持体の複数のリブ、支持体の複数の頂部、およびこれらの組み合わせからなる群から選択できるものである、請求項３６に記載の物品。
【発明の詳細な説明】
【技術分野】
【０００１】
本発明は、感圧接着剤によって取付基体に対して選択的に固定できる物品に関する。特に、本発明は、片側に書き込み可能な面があり、反対側の第２の側に取付面があって、第１の支持体の取り付け側に選択的に暴露される圧力閾値接着機構によって固定機構が動作し得るインデックスカードなどの、シート状の支持体に関する。固定機構に印加される閾値圧力のレベル次第で、露出した感圧接着剤が取付基体から離れているか、感圧接着剤を取付基体に物品を固定係合させるべく物品が変形できるかのいずれかになる。
【背景技術】
【０００２】
記憶は不完全である。このため、我々は後日まで覚えておきたい物事を書き留めることが多い。これは、日用品のリスト、「すべきこと」のリスト、スピーチ、学習時のメモ、あるいは我々が忘れてしまいたくない他の情報であり得る。たとえば、学生であれば試験の準備をする際に何も書かれていない一組のインデックスカードを手に入れ、各カードの片（または両）面に情報を書き入れて「フラッシュカード」にすることがあろう。また、スピーチをする人であれば、束にして簡単に持ち運んだり、さらにはポケットに入れることができる一組のインデックスカードに、そのスピーチのためのメモを取ることがあろう。３Ｍ社（３Ｍ  Ｃｏｒｐｏｒａｔｉｏｎ）から入手可能な、どこにでもあるポストイット（Ｐｏｓｔ−ｉｔ）（登録商標）ブランドのメモ用紙も、後から思い出したい情報を書いておくのに極めて有用であることが分かっている。ポストイット（登録商標）ブランドのメモ用紙は、裏側に再位置決め可能な感圧接着剤が帯状に塗られた枚葉紙である。ポストイット（登録商標）ブランドのメモ用紙は、たとえば、別の枚葉紙、壁、鏡、コンピュータの画面、冷蔵庫のドアなど、どのような表面にでも付けることが可能なものである。ポストイット（登録商標）ブランドのメモ用紙は、今までずっと、隣り合ったメモ用紙同士が再位置決め可能な感圧接着剤で互いに貼り付いたパッドの形で流通している。このメモ用紙は、互いに隣り合う状態でおかれればいつでもくっつくため、その間にある接着剤を剥離して分けないと束にして入れ換えたり並べ替えたりが容易にはできない。
【発明の開示】
【発明が解決しようとする課題】
【０００３】
インデックスカードは、今までずっと、３×５インチまたは４×６インチの形態できており、一般にメモ用紙よりも丈夫で耐久性のある紙で作られている。インデックスカードには接着剤は塗布されておらず、インデックスカードの束で簡単に入れ換えできる。インデックスカードを壁または他の表面にくっつけるには、別にテープ片を足して用いればよい。しかしながら、表面（壁、枚葉紙など）にインデックスカードを選択的に貼り付け、なおかつ、各々のインデックスカードからテープ片を取り除く手間を取らずに、このようなインデックスカードの束を入れ換える機能を保てる（すなわち隣り合うインデックスカードが常に貼り付いているのではない）ことが望ましい。
【課題を解決するための手段】
【０００４】
取付面に選択的に固定できるシートが、片側に書き込み可能な面があり、これに対向する第２の側に取付面がある第１の支持体を少なくとも含む。また、このシートには、第１の支持体の取り付け側に感圧接着剤が露出した圧力閾値接着機構を含む固定機構も含まれる。閾値レベルの圧力が固定機構に加わらないうちは、感圧接着剤は取付基体から離間している。このシートは、固定機構に加わる閾値レベルの圧力によって、取付基体に感圧接着剤がシート固定係合するように変形可能である。
【０００５】
添付の図面は本発明のいくつかの実施形態を示しているが、明細書中にて記載のとおり他の実施形態も考えられる。いずれの場合も、この開示内容は本発明について説明するためのものであり、限定するものではない。当業者であれば、本発明の趣旨および範囲に包含される他のさまざまな改変および実施形態を考案できることは理解されたい。図面はいずれも原寸とは限らない。すべての図について、同様の構成要素には同様の参照符号を付してある。
【発明を実施するための最良の形態】
【０００６】
シートの状態で、支持体にはほぼ平坦な２つの主面がある。図１および図２に、表側２２とこれに対向する裏側２４がある素材からなる基材層２１で画定されるインデックスカード２０としてのシートを示す。一般に、どちらの側にも筆記が可能すなわち、鉛筆、ペン、ハイライトペン、クレヨンで書いた内容や他の図柄、あるいはプリンタなどの他の図柄印刷用品で印字された内容や図柄を記録できるようになっている。インデックスカードでは一般に、片側（表側２２など）に複数の罫線２６があらかじめ印刷されている。基材層２１には、上縁２８と、下縁３０と、左右の横縁３２および３４とがある。
【０００７】
本発明は、枚葉紙などシート形態のものであればどのような物品にも適用可能であるが、本願明細書にはインデックスカードやノートカードの実施形態と実施例を示してある。代表的なインデックスカードは、秤量９０ポンド、厚さ０．００７５インチの紙などの紙製である。インデックスカードには、３×５インチと４×６インチの２つの代表的な大きさがある。インデックスカードの端は（図１および図２に示すような具合で）丸くてもよいし、（図３０および図３５に示すような具合で）角が直角になっていてもよい。
【０００８】
基材層２１については、紙、カード用紙、厚紙、プラスチックフィルムなどのシート材か、このような素材の組み合わせやラミネートで構成されたものであればよい。層２１には、その上縁２８に隣接して部分４０が設けられ、この部分を取り除くと紙のないゾーン４２となる開口部が画定されるようになっている。この紙のないゾーン４２は、本願で図示するようにさまざまな形態を取り得るものである。一実施形態において、紙のないゾーン４２は、深さがＤで上縁２８に沿って細長く、長さＬのエッジギャップ４４を含む。図１および図２に示す実施形態では、紙のないゾーン４２は基材層２１の上縁２８を分断して中央に配置されている。
【０００９】
インデックスカード２０の基材層２１の表側２２にはカバー層５０が貼り付けられ、紙のないゾーン４２を覆って延在している。カバー層５０には、図３および図４から明らかなように、外側の受圧面５２と内側の接着面５４があり、感圧接着剤５６の層が内面５４に設けられている。感圧接着剤５６は、紙のないゾーン４２を覆う形でその端から端までノートカード２０の基材層２１の表側２２にカバー層５０を貼り付ける役目を果たす（これについては、図１のカバー層５０の裏に点線５８で輪郭の形を示してある）。カバー層５０には、左右の縁６４および６６に沿ってそれぞれ天縁６０と底縁６２がある。図１、図２、図４、図５に示すように、カバー層５０の天縁６０は紙のないゾーン４２のエッジギャップ４４の端から端まで延在する形で配置されている。
【００１０】
基材層２１の厚さＴ（図４）は、紙のないゾーン４２で、カバー層５０の内面５４側に露出した接着剤５６が基材層２１の裏側２４に接する別の表面に付かないように離しておくのに十分な厚さである。このため、本発明のインデックスカード２０は、露出した接着剤５６がゆえに何かが貼り付いてしまうことなく、枚葉紙、机の上、カウンターの上、あるいは他の似たようなインデックスカードなどの表面で取り扱い、動かすことが可能なものである。また、このように粘着性がないのは、いくらかは、カバー層５０が紙のないゾーン４２と基材層２１の上縁２８の端から端までのエッジギャップ４４を横切る方向に何ら支えられていないにもかかわらず紙のないゾーン４２や基材層２１の裏側２４の方に（仮に多少はたるむにしても）目に見えて分かるほどはたるまないことによるものでもある。一実施形態では、基材層２１の上縁２８とカバー層５０の天縁６０とが同一直線上にある。
【００１１】
先に開示した層状の構成は、取付基体に対するインデックスカード２０の選択的な貼り付けを可能にする固定機構を含むインデックスカードアセンブリを定義するものである。図６および図７から明らかなように、支持体７０には取付面７２がある。基材層２１には厚さＴがあるため、紙のないゾーン４２で画定されるエリア内でカバー層５０の外面５２に閾値レベルの圧力が印加されなければ、紙のないゾーン４２に露出した接着剤５６が取付面７２に貼り付くことはない。しかしながら、こうした閾値レベルの圧力が上記のように加わったときに、露出した接着剤５６の少なくとも一部が取付面７２と当接係合してそこに貼り付くよう、カバー層５０は十分に可撓性かつ変形可能である。この関係を図６および図７に示す。ここで加わる圧力は一般に、使用者の指や親指でカバー層の外面５２を押したときの圧力など、手によるものである。このように外から加えられる圧縮力は一般に、カバー層５０に対して実質的に垂直な方向にかかり、当然ながら、使用者が接着剤５６を作用させた後で、使用者によって作用させる前の粘着剥離力（０である）よりも大きくかつ対象となる取付面にインデックスカードを貼り付けるのに十分な粘着剥離力を生むためのものである。この閾値レベルの圧力は、特に、カバー層５０の素材の性質（弾力性など）、紙のないゾーン４２での基材層２１の厚さＴ、接着剤５６の凝集性、支持体７０の取付面７２の性質に応じて可変である。一実施形態では、閾値レベルの圧力は、枚葉紙、壁あるいはカウンターの上などのほぼ滑らかな表面に、スコッチ（Ｓｃｏｔｃｈ）（登録商標）ブランドの接着テープ片などの感圧接着剤をコーティングしたフィルムを貼り付けるのに、平均的な使用者が指または手で普通に加える程度の圧力としてある。対象表面は必ずしも平坦でなければならないわけではない。たとえば、管、テレビ画面、コーヒーカップなどの局面であってもよい。
【００１２】
カバー層５０の変形する部分を部分５０ａとして示すが、この部分は縁部分７５で変形すなわち弓なりになり、その表面にある接着剤５６を取付面７２と粘着係合させる。このように、接着剤５６によって、インデックスカード２０を壁や窓、あるいは他の垂直面に固定し、そこに保つことができる。このため、勉強や何かを覚えておく目的でインデックスカードを貼り付けておくことができる。インデックスカード２０を支持体７０から剥がすと、カバー層５０は図４および図５に示す形に戻るため、接着剤５６はまた基材層２１の裏側２４から離れた状態になる。さらには、図８に示すように、インデックスカードが互いに貼り付いたり、束８０を置くことのできる水平面８２に貼り付いたりすることなく、インデックスカード２０をノートカード２０の束８０のような形で置くことができる（あるいは、他の似たようなインデックスカードと入れ換えることすら可能である）。図８では、インデックスカード２０を上から下に配置し、インデックスカード２０の天縁から見た形にすることで、それぞれのインデックスカード２０の紙のないゾーン４２とエッジギャップ４４を示してある。この向きで、（図８に圧力Ｐで示すような具合に）強い圧力が束８０に加わると、露出した接着剤５６によって、束８０のインデックスカード２０がすべて隣り合うカバー層５０と粘着的に貼り付くことになり得る。
【００１３】
一実施形態では、カバー層５０を、閾値レベルの圧力の印加時に変形して（図６および図７から明らかなように）その表面にある接着剤５６を取付面と接触させることが可能なポリマーフィルムで形成してある。この圧力の除去（ならびに接着剤５６の剥離除去）時に、カバー層５０は実質的に（図４および図５から明らかなような）変形していない元の形に戻る。また、カバー層５０の外面５２を書き込み可能な面にしておいてもよい。さらに、見た目をよくしたり広告を掲示したりする目的で、あるいはインデックスカード２０を目視で並べ替えしやすくするために、カバー層５０の外面５２に図柄（カバー層５０にあらかじめ印刷しておけるグラフィックスなど）を入れておいてもよい。一実施形態では、この図柄に（カバー層の外面５２全面を、緑、青または赤の顔料の層でコーティングをほどこすなどして）色を入れ、（一般に白色である）基材層２１の表側２２と区別できるようにしてある。
【００１４】
本願明細書で開示するいずれの実施形態でも、その支持面に接着剤をほぼ均一な厚さで適用してあり、この接着剤は永久的な感圧接着剤であっても貼り直し可能な感圧接着剤であってもよい。貼り直し可能な感圧接着剤を用いると、裏に目に見えて接着剤を残すことなく取付面に対してインデックスカードを何度も貼り付けることができ、なおかつ、たとえば壁などに貼り付けできるインデックスカードの相対的な位置を簡単に配置しなおすことが可能になる。基本的には、本発明は、「必要なときには」インデックスカードを他の表面にくっつけて保持するための手段を提供するものである。
【００１５】
貼り付け目的で、紙のないゾーンに開放縁があり、この部分に接着剤をのせるようにすれば（すなわちエッジギャップ４４）、さらに優れた粘着性を実現できると考えられる。つまり、紙のないゾーン４２のどの側も層２１の一部で囲まれることがない状態である。エッジギャップ４４は、厚さＴの層２１のあらゆる部分または縁から直線的に離れた接着剤５６のエリアとなるため、カバー層５０が変形しやすく、かつ取付基体の表面に対してカバー層５０表面の接着剤５６が貼り付きやすくなる。
【００１６】
図１〜図８のインデックスカード２０は本発明の一実施形態を示すものである。図９〜図１７は別の実施形態を示すものである。図９では、ノートカード１２０は、基材層１２１で構成されていること以外はノートカード２０と同じであるが、紙のないゾーン１４２の面積が小さめで、その形状も異なっており、それでもなお基材層１２１の上縁１２８に沿ってエッジギャップ１４４が設けられている。図９では、紙のないゾーン１４２を半円形または半円に近い形で示し、インデックスカード１２０の裏側１２４から見ている。カバー層１５０は、インデックスカード１２０の表側に設けられ、カバー層１５０の裏面１５４の感圧接着剤１５６が紙のないゾーン１４２を通して見える。カバー層１５０の底縁１６２は図９では点線で示されている。
【００１７】
図１０は、ノートカード２２０としての本発明のさらに別の実施形態を示している。カバー層２５０の形態が異なる以外、ノートカード２２０は図９のノートカード１２０と同様の構成である。図１０は、ノートカード２２０を、その上縁から見た状態で示している。基材層２２１には紙のないゾーン２４２があり、カバー層２５０が層２２１の表側２２２に感圧接着剤２５６で貼り付けられている。カバー層２５０は、基材層２２１の前面全体２２２の端から端まで延在しているのではなく、紙のないゾーン２４２の縁とわずかに重なっている（基材層２２１に対するカバー層２５０の屈曲を容易にできるだけの十分な重なり）だけである。図１１は、カバー層２５０が変形して、その表面の接着剤２５６が取付基体表面２７２と粘着係合した状態のインデックスカード２２０を示している。
【００１８】
図１２は、別の形状で作られた紙のないゾーン３４２のある、本発明のインデックスカード３２０のさらに別の形態を示している。紙のないゾーン３４２の形状以外、インデックスカード３２０は、上記で開示したインデックスカード２０、１２０、２２０と同じ特性のものである。インデックスカード３２０では、基材層３２１にはＶ字形の紙のないゾーン３４２がある。しかしながら、上記の実施形態と同様に、紙のないゾーンには、基材層３２１の上縁３２８に沿って露出したエッジギャップ３４４がある。図１２でインデックスカード３２０の裏側３２４から見ているように、カバー層３５０は、接着剤３５６が紙のないゾーン３４２を通して見える（なおかつ操作可能な）状態で、感圧接着剤３５６で基材層３２１の表側に貼り付けられている。
【００１９】
図１３は、本発明のインデックスカード４２０の別の実施形態を示している。インデックスカード４２０の紙のない部分の形以外、この実施形態は、上記で開示したインデックスカード２０、１２０、２２０、３２０と同じ特性のものである。この実施形態では、インデックスカード４２０の基材層４２１の上縁４２８に沿って紙のないゾーン４４２が複数設けられている。カバー層４５０は、紙のないゾーン４４２各々の端から端まで感圧接着剤４５６が露出するような形で層４２１の前面の端から端まで延在している。
【００２０】
以上のように、本発明のインデックスカードアセンブリ表面の紙のないゾーンの形状は、多くの形態を取り得るものであり、露出した接着剤ゾーンが複数あってもよい。紙のないゾーンの形状は、ひとつには装飾性を考慮の上で決定できるものであるが、インデックスカードの上縁、横縁または底縁を横切る方向にカバー層が取付面に対して変形可能であり、かつ、インデックスカードの基材層の部分に近い厚さ分の変形という点で過度に制約されないだけの十分な距離のエッジギャップが得られるように、紙のないゾーン各々を形成する。一方、十分な圧力を印加してもカバー層が変形しない場合、接着剤はインデックスカードの裏側から離れている（すなわち、凹部がある）。
【００２１】
上記で開示した本発明の実施形態では、インデックスカードアセンブリの片側だけが、凹部で露出した接着剤を用いて取付面に対して選択的に自己粘着するようになっている。図１４に示すインデックスカード５２０の実施形態では、インデックスカードの両側をそのようにすることができる。図１４に示すインデックスカード５２０には、裏表の主面それぞれのカバー層が上縁と底縁とに隣接した基材層５２１がある。図１４は、上縁５２８に隣接してカバー層５５０が貼り付いた状態でのインデックスカード５２０の基材層５２１の表側５２２を示している。上縁５２８に隣接した紙のないゾーン５４２は、点線５５８で示されており、上縁５２８に沿ってエッジギャップ５４４を画定している。このため、感圧接着剤が、紙のないゾーン５４２の端から端までカバー層５５０の裏面に露出している。さらに、基材層５２１の下縁５３０に隣接して第２の紙のないゾーン５８２が切り取られている。また、第２の紙のないゾーン５８２は、基材層５２１の下縁５３０を横切って第２のエッジギャップ５８４を画定している。第２のカバー層５９０は、カバー層５５０と同様に形成され、感圧接着剤５９６で基材層５２１の裏側に貼り付けられた裏面５９４がある。このため、接着剤５９６が、第２の紙のないゾーン５８２の端から端まで基材層５２１の表側５２２に露出している。結果として、インデックスカード５５０を、その表側または裏側のどちらかで支持体表面に貼り付けることが可能になる。貼り付けないときは、基材層５２１の厚さがゆえに、インデックスカード５２０の両側に露出した接着剤は隣接する当接面から離れた状態になるため、インデックスカードは自由に移動、積み重ね、あるいは入れ換え直しが可能になる。露出した接着剤でそれぞれ外側に向いたエリアを追加したこと以外、この実施形態のインデックスカード５２０は、上記で開示したインデックスカード２０、１２０、２２０、３２０、４２０と同じ特性のものである。
【００２２】
図１５〜図１７は、本発明のインデックスカードの別の実施形態を示している。この実施形態では、インデックスカード６２０には基材層６２１があるが、この基材層６２１は必ずしも紙のないゾーンまたは関連のカバー層を持つものでなくてもよい。基材層６２１には、その裏側６２４に凹部６２７を形成する目的で、エリアまたはランド６２５が型押しされている（図１６参照）。型押しエリア６２５は、基材層６２１の表側６２２にある反対側のエリアに、表面の不連続性がないようにして形成してもよいし、あるいは、表側６２２に若干隆起したエリア６２９ができるようにして形成してもよいものである。
【００２３】
凹部６２７には（上記で開示した接着剤のような）感圧接着剤６５７の層が設けられている。しかしながら、接着剤６５７の露出表面６５９は、裏側６２４と単に当接係合しているだけの表面に接着剤６５７が係合しないように、基材層６２１の裏側６２４から離れている。インデックスカード６２０は、接着剤６５７とは反対側の基材層６２１の表側６２２に閾値レベルの圧力を加えることで、取付面６７２のある支持体６７０に貼り付けられる（図１７）。基材層６２１の型押しエリア６２５は、図１７において圧力Ｐで示すこの圧力下で若干伸び、これによって接着剤６５７の露出面６５９が取付面６７２に当接係合して貼り付く。インデックスカード６２０が支持体６７０（壁、カウンターの上、枚葉紙など）に貼り付いたまま保持されるように、基材層６２１は、このような伸びを可能にして図１７に示す形状を維持できる程度に可撓性である。よって、型押しエリア６２５は、支持体６７０に対するインデックスカード６２０の粘着性を作用させるための「押しボタン」として機能する。型押しエリア６２５は、インデックスカード６２０を支持体６７０から剥離した後に、型押しエリア６２５が元の凹部位置（図１６）に戻るか、基材層６２１の裏側６２４に押されたまま保たれるように形成可能なものである。後者の場合、オン／オフスイッチのように使用者が型押しエリア６２５を「ポップ」または「スナップ」して元の凹部位置（図１６）に戻すことができる。インデックスカード６２０は、本願明細書に開示した他の実施形態とはいくつかの構成要素が異なるとはいえ、機能的には特性が同じである。たとえば、他のカードまたは表面に意図せずして貼り付いてしまうことなく、自由に積み重ねたり入れ換えたりすることが可能である。
【００２４】
図１８〜図２０は、図１５〜図１７に示す実施形態をさらに改変した、本発明のインデックスカードの別の実施形態を示している。この実施形態では、インデックスカード６２０ａに基材層６２１ａがある。基材層６２１ａには、上縁６２８と、下縁６３０と、横縁６３２および６３４とがある。基材層６２１ａにはエリアまたはランド６２５ａが設けられ、これ以外の部分はほぼ平坦な裏側６２４ａに凹部６２７ａが形成されている（図１９Ａ参照）。凹部６２７ａは、基材層６２１ａの厚さが薄くなるように型押ししたり、あるいは基材層６２１ａの厚さの層を切り取る（ｓｃｉｖｉｎｇ  ｏｆｆ）などの好適な方法で基材層６２１ａに形成すればよい。図１９Ａに示すように、凹部６２７ａは、基材層６２１ａの表側６２２ａの反対側のエリアに、凹部６２７ａに対応する表面の不連続性がないように形成されている。
【００２５】
凹部６２７ａには感圧接着剤６５７ａの層が設けられている。接着剤６５７ａの露出表面６５９ａは、裏側６２４ａと単に当接係合しているだけの表面に接着剤６５７ａが係合しないように（そうでなければ接着剤のない）基材層６２１ａの裏側６２４ａから離れた状態になっている。インデックスカード６２０ａは、接着剤６５７ａとは反対側の基材層６２１ａの表側６２２ａに閾値レベルの圧力を加えることで、取付面６７２ａのある支持体６７０ａに貼り付けられる（図１９Ｂ）。基材層６２１ａの凹部６５７ａは、図１９Ｂにおいて圧力Ｐで示す圧力下で若干伸び、これによって接着剤６５７ａの露出面６５９ａが取付面６７２ａに当接係合して貼り付く。インデックスカード６２０ａが支持体６７０ａ（壁、カウンターの上、枚葉紙など）に貼り付いたまま保持されるように、基材層６２１ａは、このような伸びを可能にして図１９Ｂに示す変形後の形状のタイプを維持できる程度に可撓性である。
【００２６】
この実施形態では、凹部６２７ａは、図２０に示すように横縁６３２から横縁６３４までインデックスカード６２０ａの裏側６２４ａ全体にわたって延在している。このため、凹部６２７ａの端から端までの１ヶ所以上の場所で（図１９ＢのＰ方向に）印加される圧力によって、接着剤６５７の露出面６５９ａが取付面６７２ａと当接係合して貼り付く。凹部６２７ａは、インデックスカード６２０ａを支持体６７０ａから剥離した後に、接着剤６５７ａが実質的に元の凹部位置（図１９Ａ）に戻るように形成されている。インデックスカード６２０ａは、本願明細書に開示した他の実施形態とはいくつかの構成要素が異なるとはいえ、機能的には特性が同じである。たとえば、閾値レベルの圧力の印加時に、インデックスカード６２０を対象表面に選択的に貼り付けることが可能である。しかしながら、対象表面から剥がしてしまえば、インデックスカード６２０ａは、他のカードまたは表面に意図せずして貼り付いてしまうことなく、自由に積み重ねたり入れ換えたりすることが可能なものである。
【００２７】
本願明細書に開示のすべての実施形態に共通する特徴として、シート状の支持体の裏側の一部に感圧接着剤が露出していることがあげられる。いくつかの実施形態では、開口部または紙のないゾーンを画定するために支持体の基材層から取り除かれた部分を通して感圧接着剤を露出させている。他の実施形態では、基材層の裏側に設けられた凹部に配置することで、接着剤を露出させている。さらに他の実施形態では、基材層の裏側に接着剤を配置し、そこにある接着剤の露出面よりも上の高さまで基材層から延在する１以上の隆起したスタンドオフ要素によって効果的に「奥に下げて」ある。スタンドオフ要素は、（図１〜図８の実施形態の場合のように）基材層自体の裏面を構成するものであってもよいし、（図１５〜図２０の実施形態の場合のように）凹部が画定された基材層自体の裏側であってもよく、あるいは、図２１〜図４３の実施形態で開示するように、スタンドオフが、基材層の裏側に設けられるか基材層から形成される別の要素または特徴を構成してもよい。
【００２８】
本願明細書にて開示し、企図するいずれの実施形態においても、機能面での基本的な特性は同じである。基材層の裏側が別の表面に当接しているのであれば、そこにある感圧接着剤はその表面から離れているため、これがそこに貼り付くことはない。閾値レベルの圧力を感圧接着剤とは反対側の基材層の表側に加えると、接着剤のある方の層は、露出した接着剤の少なくとも一部がその表面と当接係合してそこに貼り付く程度に可撓性かつ変形可能である。閾値レベルの圧力は一般に、使用者の指や親指で接着剤層のある層の外面を押したときの圧力など、手によるものである。このように外から加えられる圧力（すなわち圧縮力）は一般に、基材層に対して実質的に垂直な方向にかかる。この圧力によって、使用者が作用させる前の粘着剥離力（０である）よりも大きい、インデックスカードを対象となる取付面に貼り付けるのに十分な、使用者が作用させた後の接着剤の粘着剥離力が得られる。閾値レベルの圧力は、特に、接着剤のある層の素材の性質（弾力性など）、基材層の厚さ、接着剤の凝集性、インデックスカードを貼り付ける先である表面の性質に応じて可変である。本願明細書に開示のすべての実施形態のもうひとつの特徴として、（基材層の面に対して垂直な圧力の印加なしで）基材層同士がくっつくことなく基材層の各実施形態を複数重ねたり入れ換えたりできる点があげられる。このため、（たとえば、インデックスカードの形での）束で互いにくっつくことなく基材層の順序を変えることができるため、束のカードの順序を使用者が簡単に変えることができる。すべりやすくする粘着剥離層のコーティングを基材層の表側の一部または全体に設けることで、このような基材層の「入れ換えやすさ」をさらに向上できる。また、適切な接着剤を使用すると、基材層を表面に貼り付け、使用者の望むがまま後から剥がしたり同じ表面の別の場所や異なる表面に貼り直すことができる（剥がした後にこれらの表面に目に見えて接着剤が残る）。また、上述したように、本願明細書に記載のいずれの実施形態でも、基材層の両側が筆記可能すなわち、鉛筆、ペン、ハイライト用筆記具、クレヨンで書いた内容や他の図柄、あるいはプリンタなどの他の図柄印刷用品で印字された内容や図柄を記録できるようになっている。
【００２９】
図２１および図２２は、ノートカードまたはインデックスカード７２０の形のシートとしての本発明の別の実施形態を示している。ノートインデックスカード７２０は、表側７２２とこれに対向する裏側７２４がある素材からなる基材層７２１で画定される。図２１では裏側７２４から見た基材層７２１には、上縁７２８と、下縁７３０と、横縁７３２および７３４とがある。
【００３０】
基材層７２１については、紙、カード用紙、厚紙、プラスチックフィルムなどのシート材か、このような素材の組み合わせやラミネートで形成されたものであればよい。本願明細書に開示のほとんどの実施形態では、基材層の裏面に対してその上縁に隣接して感圧接着剤の層を設けてある。図２１に示す実施形態では、感圧接着剤７５６の層を裏面７２４に適用し、横７３２から横７３４まで、基材層７２１の幅方向の端から端に延在させてある。接着剤７５６は、ほぼ均一な厚さで裏側７２４に適用されており、ほぼ平坦な露出表面７５９がある。基材層７２１の上縁７２８に隣接して、上側の隆起した要素７６１が設けられている。図２１の実施形態では、上側の隆起した要素７６１は細長く、ほぼ線状で、基材層７２１の上縁７２８に沿って延在している。上側の隆起した要素７６１は、接着剤７５６の表面７５９に貼り付けられ、そこから（基材層７２１の裏側７２４に対して）スタンドオフ距離Ｓ1（図２２Ａ参照）だけ上側のスタンドオフ表面７６３まで外方向に突出している。下側の隆起した要素７６５も同様に形成して接着剤７５６の表面７５９に貼り付けておけばよい。下側のスタンドオフ要素７６５についても同様に、基材層７２１の裏側７２４に対してスタンドオフ距離Ｓ2（図２２Ａ参照）だけ下側のスタンドオフ表面７６７まで外方向に突出している。一実施形態では、スタンドオフ距離Ｓ1はスタンドオフ距離Ｓ2と等しいが、これらの距離は必ずしも同じでなくてもよい。言葉を変えると、接着剤の露出表面７５９には、基材層７２１の裏側７２４に対して第１の高さがあり、上下のスタンドオフ表面７６３および７６７は、この第１の高さよりも高い。
【００３１】
隆起した要素７６１および７６５それぞれのスタンドオフ距離Ｓ1およびＳ2は、基材層７２１の裏側７２４の接着剤７５６の露出表面７５９が隣接する表面と接触しないように空間を保つあるいは離しておくだけの十分なものである。このため、本発明のノートカード７２０は、枚葉紙、机の上、カウンターの上または他の似たようなノートカードなどの隣り合う表面で、接着剤７５６によってこれに貼り付くことなく、取り扱い、動かすことが可能なものである。ノートカード７２０が隣り合う表面と接触するのは、上下のスタンドオフ表面７６３および７６７と基材層７２１の裏側７２４の接着剤がない部分だけである。隆起した要素７６１および７６３は、効果的に、その間の接着剤７５６の露出表面７５９がある凹部ゾーン７６９の境界となっている。隆起した要素７６１と７６５との間の空間を図２１にスペースＺとして示す。このようなノートカード７２０のくっつかない特徴は、スペースＺの長さ、スタンドオフ距離Ｓ1およびＳ2の高さ、接着剤７５６のあるエリアでの基材層７２１の剛性にいくらかは左右される。これらの特性は、隆起した要素７６１と７６５との間で接着剤７５６用に画定された凹部ゾーン７６９で基材層７２１が（仮に多少はたるむにしても）目に見えて分かるほどはたるまないように設計されている。
【００３２】
図２１および図２２Ａに示す構成は、取付基体に対するノートカード７２０の選択的な貼り付けを可能にする固定機構を含むノートカードアセンブリを定義するものである。図２２Ｂから明らかなように、支持体７７０には取付面７７２があることが示されている。スタンドオフ距離Ｓ1およびＳ2があるため、接着剤７５６とは反対の基材層７２１の第１の側７２２に閾値レベルの圧力が印加されなければ、凹部ゾーン７６９の接着剤７５６の露出表面７５９が取付面７７２に貼り付くことはない。しかしながら、こうした閾値レベルの圧力が上記のように加わったときに、接着剤７５６の露出表面７５９の少なくとも一部が取付面７７２と当接係合してそこに貼り付くよう、基材層７２１は十分に可撓性かつ変形可能である。この関係を図２２Ｂに示す。上述したように、印加される圧力は一般に、基材層７２１の第１の側７２２を使用者の指や親指で図２２Ｂに示すようにＰ方向に押したときの圧力など、手によるものである。接着剤７５６が作用してノートカード７２０が支持体７７０に貼り付いたまま保たれる際、基材層７２１はその第１の側７２２で変形することがあるが、このような変形は使用者が視覚または触覚で確認できるほどのものではない。隆起した要素７６１および７６５は、圧力Ｐの下で、わずかに圧縮されるが、それでも図２２Ｂから明らかなように基材層７２１を取付面７７２から離しておけるだけの十分な高さがある。いくつかの実施形態で平行な隆起した要素を２つ示してあるが、３つまたはそれ以上ある方が望ましいこともある。
【００３３】
図２２Ｂでは、基材層７２１の変形する部分を部分７２１ａとして示すが、この部分は隆起した要素７６１および７６５に隣接する縁部分７７５で変形すなわち弓なりになり、接着剤７５６の露出表面７５９を取付面７７２と粘着係合させる。このように、接着剤７５６によって、ノートカード７２０を壁や窓、あるいは他の垂直面に固定してそこに保つことができる。このため、勉強や何かを覚えておく目的でノートカードを貼り付けておくことができる。ノートカード７２０を支持体７７０から剥がすと、変形した基材層７２１ａは図２２Ａに示す基材層７２１の形に戻る。よって、接着剤７５６は再び、隆起した要素７６１と７６３との間に画定された凹部ゾーン７６９で別の表面と接触しないように離れた露出表面７５９を持つことになる。さらには、ノートカードが互いにくっついたり、ノートカードの束をのせることができる水平面にくっついたりすることなく、ノートカード７２０をノートカードの束の形で置いたり、他の似たようなノートカードと入れ換えることができる。このようなノートカード複数枚を、その上縁が束の同じ側に揃うようにして配置し、（図２２Ｂの圧力Ｐに近い方向などで）束を横切る形に強い圧力を加えると、露出した接着剤によって、束のノートカードが隣り合う基材層と一緒に粘着してくっつく。
【００３４】
上下の隆起した要素については、さまざまな方法で、かつさまざまな素材から形成できる。たとえば、上下の隆起した要素は、図２２Ａ、図２２Ｂおよび図２３に示すように、あらかじめ適用しておいたシート材の目立たない（ｄｉｓｃｒｅｅｔ）層、テープ材の層あるいは塗料の層であってもよいし、上下の隆起した要素が、接着剤７５６に貼り付ける素材の細片（紙、ポリマー、テープの細片あるいは、ニスコーティングといった素材のコーティングなど）であってもよい。
【００３５】
図２３は、上側の隆起した要素７６１ａと下側の隆起した要素７６５ａとが接着剤７５６に貼り付いているのではなく、基材層７２１の裏側７２４に直接的に接着されているノートカード７２０ａの別の実施形態を示している。上下の隆起した要素７６１ａおよび７６５ａが接着剤７５６用の凹部ゾーン７６９ａを画定するよう機能し、接着剤７５６の露出表面７５９を取付面または隣り合うノートカードの表面から離すスタンドオフとしての役割を果たすため、図２３に示すノートカード７２０ａの固定機構は、上述したものと同じように機能する。
【００３６】
上下の隆起した要素を形成する別の例を図２４に示す。この実施形態では、ノートカード７２０ｂには上側の隆起した要素７６１ｂと下側の隆起した要素７６５ｂとがあり、いずれも基材層７２１の裏側７２４に配置されたビーズの素材で形成されている（このビーズについては、接着剤７５６の上に配置してもよいし、これに隣接する形で配置してもよい）。（たとえば、周囲条件に曝露されると硬化する水性のりで形成可能な）ビーズ素材には、接着剤７５６の露出表面７５９からのスタンドオフ距離を決める最も外側のスタンドオフ表面（その表面が基材層７２１の裏側７２４から最も離れている）がある。ノートカード７２０ｂの固定機構は上述したものと同じように機能する。隆起した要素７６１ｂおよび７６５ｂそれぞれのスタンドオフ距離は、ここでも、閾値レベルの圧力が印加されていない状態で、凹部ゾーン７６９ｂにおける接着剤７５６の露出表面７５９を基材層７２１の裏側７２４に接する別の表面から離しておけるだけの距離である。
【００３７】
図２１〜図２４に示す実施形態では、上下の隆起した要素が連続した細片素材として示されている。別の実施形態では、上下の隆起した要素は、図２５に示すようなノートカード７２０ｃの上側の隆起した要素７６１ｃと下側の隆起した要素７６５ｃなど、不連続なものであってもよい。上下の隆起した要素７６１ｃおよび７６５ｃは、接着剤７５６の上にあってもよいし、これに隣接していてもよく、連続してはいないが、ほぼ線状かつ平行に配置されている。上下の隆起した要素のばらばらのセグメントは、隆起した要素が、接着剤７５６の露出表面７５９が誰もいないのに（ｕｎａｔｔｅｎｄｅｄ）貼り付いてしまうのを防ぐのに必要なスタンドオフ距離を提供する機能を果たしつつ、ノートカード７２０ｃの「必要なときには」貼り付くという特徴も得られる限り、同じ長さでも違う長さでもよい。
【００３８】
図２６は、ノートカード７２０ｄ上の複数の上下の隆起した要素７６１ｄおよび７６５ｄとしての別の不連続な細片を示している。これらの隆起した要素は、図示のとおり、ほぼ線状かつ、その間に形成された凹部ゾーン７６９ｄにある接着剤７５９と平行に配置されている（図２７Ａ参照）。図２７Ａは、要素７６１ｄおよび７６５ｄを、基材層７２１の第２の側７２４にビーズ素材の目立たない粒または塊をのせて形成できることを示している。このような粒は、接着剤７５６の露出表面７５９に対して上側の隆起した要素７６１ｄと下側の隆起した要素７６５ｄの両方について、必要なスタンドオフ距離を提供する高さで、液状でのせた上で後から固めてもよいし周囲条件への曝露時に硬化させてもよく、このようにして固定機構の説明で上述した「必要に応じての」貼り付けの特徴を達成する。
【００３９】
複数の目立たないスタンドオフ要素を形成するためのもうひとつ別の手段を図２７Ｂに示す。この実施形態では、上下の隆起した要素７６１ｅおよび７６５ｅを、基材層７２１ｅに作った切り込み７７７のアレイで形成する。それぞれの切り込み７７７を基材層７２１ｅの表側７２２ｅから裏側７２４ｅに向かって作る。よって、基材層７２１ｅの素材の一部が変形し、裏側７２４ｅから外方向に突出して上側の隆起した要素７６１ｅまたは下側の隆起した要素７６５ｅとしての頂部を画定する形になる。上下の隆起した要素７６１ｅおよび７６５ｅは、基材層７２１ｅの裏側７２４ｅから十分に突出し、必要なスタンドオフ距離ならびに、先に定義したような結果として得られる固定機構の機能的な利点を提供している。凹部ゾーン７６９ｅは、上側の隆起した要素７６１ｅのアレイと下側の隆起した要素７６５ｅのアレイとの間に効果的に画定されている。この凹部ゾーン７６９ｅに感圧接着剤７５６があり、上下の隆起した要素７６１ｅおよび７６５ｅによって得られるスタンドオフ距離がゆえに、（上述したように、閾値レベルの圧力が印加されるまで）接着剤７５６の露出表面７５９は当接表面から離れた状態に保たれる。切り込み７７７については、接着剤７５６を介して形成することも可能だし、接着剤７５６の脇に形成することも可能である。これらの切り込みは、穴、円、点線の他、必要なスタンドオフ距離を提供するのに適した幾何学的形状であれば、どのような形状であってもよい。
【００４０】
ノートカード７２０ｅを使用する際（すなわち、圧力によって接着剤が作用し、表面から剥がされ、後におそらくは複数回、圧力によって再び作用する）、上下の隆起した要素７６１ｅおよび７６５ｅは、接着剤７５６を作用させるために取付面に対して押されたときに変形するため、その高さが低くなる可能性がある。しかしながら、上下の隆起した要素７６１ｅおよび７６５ｅの高さは、使用時をとおして、接着剤７５６に十分なスタンドオフ距離を維持できなくなるほど低くはならない。
【００４１】
図２７Ｂに示す形態のノートカード７２０ｅでは、下側の隆起した要素７６５ｅを画定する切り込み７７７を、基材層７２１ｅの上側部分７７９をヒンジ部で折り曲げやすくする目的でも利用することができる。このようにすると、上側部分７７９の接着剤７５６が下側の隆起した要素７６５ｅよりも下で基材層７２１ｅの裏側７２４ｅと粘着係合される。よって、露出した接着剤がすべて覆われることになり、ノートカード７２０ｅが似たようなノートカードの表面に接着剤でくっついてしまう可能性がなくなり、かつ、埃、紙、繊維などで接着剤がよごれることもなくなる。折り曲げた、基材層７２１ｅの接着剤のある上側部分７７９については、後で広げて接着剤を露出させ、「必要なときには」ノートカード７２０ｅを再び対象表面に貼り付けることができる。
【００４２】
図２８および図２９は、上下の隆起した要素７６１ｆおよび７６５ｆのあるノートカード７２０ｆの別の実施形態を示している。この実施形態では、ノートカード７２０ｆの基材層７２１ｆに画定されたミシン線で、隆起した要素７６１ｆおよび７６５ｆが形成されている。図２７Ｂの切り込みと同じように、ミシン目は基材層７２１ｆの表側７２２ｆから作られる。よって、基材層７２１ｆの前面７２２ｆの各ミシン目ごとに、切り込み線の谷すなわちひだの部分７８１が画定されることになる。同様に、基材層７２１ｆの裏側７２４ｆに得られるミシン線の突起が形成されるため、これによって上側の隆起した要素７６１ｆまたは下側の隆起した要素７６５ｆが画定される。隆起した要素７６１ｆおよび７６５ｆは、ここでも、接着剤７５６に対して、特に上下の隆起した要素７６１ｆと７６５ｆとの間に画定される凹部ゾーン７６９ｆにある接着剤７５６の露出表面７５９に対して、十分なスタンドオフ距離が得られるように形成される。このため、上下の隆起した要素７６１ｆおよび７６５ｆは、基材層７２１ｆの素材からのリブとして形成される。これらのリブは、その表面でノートカード７２０ｆの端から端まで延在する単一のリブであってもよいし、複数のリブ（すなわち不連続なリブ）であってもよい。ミシン線を使って下側のスタンドオフ要素７６５ｆを形成すると、この実施形態では、下側の隆起した要素７６５ｆに沿ってヒンジ部も得られることになり、これを利用して基材層７２１ｆの上側部分７７９ｆを折り曲げ、上側部分７７９ｆを基材層７２１ｆのバックサイド７２４ｆに接着剤７５６で貼り付けることができる。図２７Ｂの実施形態と同じように、折り曲げた、基材層７２１ｆの接着剤リングの上側部分７７９ｆについては、後で広げて固定機構の接着剤を露出させ、「必要なときには」ノートカード７２０ｆを再び対象表面に貼り付けることができる。
【００４３】
上述した本発明の実施形態では、本発明によるインデックスまたはノートカードは、使用時にその裏側で必要なスタンドオフ距離を決める上で使用者が何かをする必要はない。たとえば、実施形態１〜１４に示すノートカードアセンブリは、ノートカード裏側の当接表面との意図しない接触が起こらないよう奥まったところにある接着剤で形成されている。図１５〜図２０の実施形態では、本発明によるノートカードの裏側には、接着剤の露出面がインデックスカードの基材層の裏側から離れるように、同様に凹部が設けられている。図２１〜図２９に示す実施形態では、インデックスカードの基材層の裏側に接着剤を直接に配置することができるが、隆起スタンドオフ要素は、接着剤の露出表面の高さがスタンドオフの高さよりも低くなり、再び、カードの裏側が接触し得る隣り合う面よりも奥まったところにくるように設けられている。上述した実施形態では各々、接着剤が隣り合う面と意図せずして接触してしまうのを防ぐために必要なスタンドオフ距離を何らかの手段で提供する、あらかじめ画定された凹部ゾーンで、接着剤がインデックスカードにすでに設けられている。
【００４４】
別の実施形態では、ノートカードの裏側でスタンドオフ距離を決める上で、使用者が若干ながら何かをしなければならないことがある。たとえば、図３０〜図３４に示す実施形態では、ノートカードの一部を折り曲げて、スタンドオフ距離になる高さの差をノートカードの裏側に作る必要がある。表側８２２とこれに対抗する裏側８２４がある基材層８２１の裏側に、ノートカード８２０としてのシートが画定される。基材層８２１には、上縁８２８と、下縁８３０と、横縁８３２および８３４とがある。この実施形態では、接着剤８５６が、基材層８２１の上縁８２８に隣接して帯状にのせられており、上縁８２８に平行でそこから間隔をあけて作られたミシン線８２９（点線で示す）まで延在している。ミシン線８２９よりも下では、基材層８２１の裏側８２４に接着剤がない。接着剤８５６は、基材層８２１の裏側８２４におかれ、横縁８３２からノートカード８２０を横切って横縁８３４まで延在する。
【００４５】
基材層８２１には、接着剤８５６の帯の範囲に形成された切れ目８３１がある。切れ目８３１は、ミシン線８２９上の第１の端８３３から基材層８２１の上縁８２８に向かって第１の曲線部８３５まで延在している。切れ目８３１には、基材層８２１の上縁８２８と平行に（そこから離れた位置で）延在する部分８３７があり、この部分は第２の曲線部８３９まで延在している。切れ目８３１はさらに、第２の曲線部８３９から、基材層８２１の上縁８２８から離れる方向に、ミシン線８２９上の切れ目８３１の第２の端８４１まで延在している。切れ目８３１の第１の端８３３および第２の端８４１は、図３０に示すように、基材層８２１の端と端とにわかれている。
【００４６】
基材層８２１の、その上縁８２８と、切れ目８３１と、（切れ目８３１の両外側にある）ミシン線８２９とによって画定される部分は、基材層８２１のスペーシング部８４５として画定されている。スペーシング部８４５については、ノートカード８２０が図３１に示す形になるように、ミシン線８２９に沿って折り曲げ、その表面の接着剤で基材層８２１の裏側８２４に貼り付けることができる。この折り曲げ手順を、図３２、図３３、図３４に示すが、ここで、図３２は、折り曲げる前の状態のノートカード８２０を示し、図３３は、部分的に折り曲げた状態のノートカード８２０を示し、図３４は、完全に折り曲げた状態のノートカード８２０を示す。上述し、かつ図示したように折り曲げた後は、図３１に示すように、上側の折り曲げられていないタブ部８４７がノートカード８２０の一番上の部分をなすことになる。この実施形態では、タブ部８４７の表面に接着剤８５６がある。接着剤８５６の帯のスペーシング部８４５にある部分（接着剤８５７として示す）を利用して、図３１および図３４に示すように基材層８２１の裏側８２４にスペーシング部８４５を貼り付ける。
【００４７】
基材層８２１のスペーシング部８４５の厚さによって、タブ部８４７の接着剤８５６を隣り合う表面から離すためのスタンドオフ距離Ｓ3（図３４参照）が決まる。折り曲げられたスペーシング部８４５は、切れ目８３１の第１の端８３３と第２の端８４１以外、接着剤８５６の露出表面８５９にすぐ隣接しているわけではないが、それでも取付面や隣り合うノートカード表面などの隣り合う面と露出表面８５９が意図せずして接触してしまうのを防げるだけの十分な高さの差が得られる。このため、接着剤は折り曲げられたスペーシング部８４５の厚さ（スタンドオフ距離Ｓ3）によって効果的に「奥に下がる」ことになる。要するに、スペーシング部８４５を折り曲げると、スペーシング部８４５の前面８２３がその裏面になり、接着剤８５６用のスタンドオフ表面８２５として働く。
【００４８】
上述したように、ノートカード８２０の固定機構の基本的な機能性は、本願明細書に開示する他の実施形態のものと同様である。基材層８２１の裏側８２４が他の表面と当接しても、（折り曲げられていないタブ部８４７の）そこにある感圧接着剤８５６は当該表面から離れているため、裏側がそこに貼り付くことはない。（折り曲げられていないタブ部８４７の表側にある）基材層８２１の表側８２２に閾値レベルの圧力が加わったときに、露出した接着剤８５６の少なくとも一部が表面と当接係合してそこに貼り付くよう、基材層８２１は十分に可撓性かつ変形可能である。また、適切な接着剤を用いると、表面に基材層を貼り付け、剥がした後に表面に接着剤を残すことなく、使用者の望むがまま後で剥がしたり同じ表面の別の場所や全く異なる表面に貼り直すことができる。スペーシング部８４５を折り曲げ、（図３１および図３４に示すように）基材層８２１の裏側８２４に貼り付けた状態でも、ノートカード８２０は、（少なくともタブ部８４７のエリアで基材層の面に垂直な圧力が加わらないうちは）他の似たようなノートカードまたは支持体表面にくっつくことなく、重ねたり入れ換えたりできる構成である。
【００４９】
この実施形態では、インデックスカード８２０を（図３０および図３２に示すような）折り曲げていない状態で、このようなインデックスカードを複数枚を、その上縁を揃えて配置し、（ミネソタ州セントポール（Ｓｔ．  Ｐａｕｌ，  Ｍｉｎｎｅｓｏｔａ）の３Ｍ社から入手可能なものなどのポストイット（登録商標）ブランドのメモ束のように）流通（ｄｉｓｐｅｎｓｉｎｇ）目的で重ねて貼り付けることができる。このような束のノートカード８２０は使用する上では望ましいものであり、束から１枚ずつ剥がし、必要であればカードが図３１に示す形になるようにスペーシング部８４５を折り曲げることができる。隣り合うカードを分離しやすくするために、（取り付けたスペーシング部８４５の前面８２３に沿った）基材層８２１の表側８２２に、すべりやすくする粘着剥離層のコーティング（図示せず）をほどこしてもよい。基材層８２１の裏側８２４にある接着剤８５６の露出表面８５９と隣り合うスタンドオフ表面８２５に接着剤の剥離コーティングがあることで、図３１に示すような形にスペーシング部８４５を折り曲げた後のノートカード８２０を入れ換えやすくなり得る。
【００５０】
図３５〜図３９は、本発明によるノートカードの別の実施形態を示している。この実施形態では、ノートカード８２０ａは、接着剤の帯がある場所が異なっていること以外、あらゆる点で図３０のノートカード８２０と同様である。この実施形態では、接着剤８５６ａの帯が、その上縁から始まり、ミシン線８２９に沿って、そこから接着剤８５６ａの下縁８５１まで下方向に延在し、横縁８３２から横縁８３４までノートカード８２０ａの端から端に延在している。ミシン線８２９は、基材層８２１の上縁８２８よりも下に間隔をあけて設けられている。切れ目８３１も同様に設けられているが、この実施形態では切れ目８３１は接着剤８５６ａの帯の範囲にはなく、接着剤８５６ａの帯の上にある。切れ目８３１は、ミシン線８２９上の第１の端８３３で始まり、上縁８２８に向かって第１の曲線部８３５まで延在し、さらに第２の曲線部８３９まで上縁８２８と平行に延在する部分８３７に沿っている。第２の曲線部８３９から、切れ目は、ミシン線８２９上の第２の端８４１まで延在する。切れ目８３１の第１の端８３３と第２の端８４１は、ノートカード８２０ａの平面の端と端とにわかれている。
【００５１】
スペーシング部８４５ａは、上縁８２８と、切れ目８３１と、ミシン線８２９とによって画定される。このスペーシング部８４５ａについては、ミシン線８２９に沿って折り曲げ、そこにある接着剤８５６ａで基材層８２１の裏側８２４に貼り付けることができる。図３５は、折り曲げられていないノートカード８２０を示し、図３６は、スペーシング部８４５ａを折り曲げて貼り付けたノートカードを示している。図３７、図３８、図３９は、ノートカード８２０ａに対してスペーシング部８４５ａをどう折り曲げるかの手順を示している。
【００５２】
図３５〜図３９の実施形態と図３０〜図３４の実施形態では、接着剤８５６ａの帯が異なる場所にあるが、（図３６および図３９から明らかなように）ノートカード８２０ａのスペーシング部８４５ａは折り曲げられており、ここでもスペーシング部８４５ａで覆われていない接着剤８５６ａの露出表面８５９ａ用の凹部ゾーンを画定する隆起スタンドオフ要素として機能している。これによって得られる間隔の距離を図３９に間隔距離Ｓ4として示すが、この距離はスペーシング部８４５ａの厚さに等しい。この実施形態では、切れ目８３１の形状によって決まるようなスペーシング部８４５ａの一部で接着剤８５６ａの露出表面８５９ａの３辺を接着する。上側の折り曲げられていないタブ部８４７ａは、図３６に示すように、基材層８２１ａの上側の部分に突出しているが、そこに接着剤はない。
【００５３】
一度ノートカード８２０ａを折り曲げたら（図３６および図３９）、接着剤８５６ａの露出表面８５９ａとは反対側の１ヶ所以上の場所で基材層８２１の表側８２２に閾値レベルの圧力を加えて、固定機構を作用させることができる。上述の実施形態と同様に、ノートカード８２０ａを適所に保持すべく、接着剤８５６ａの露出表面８５９ａの少なくとも一部が当接表面と係合してその表面に貼り付くよう、基材層８２１は十分に可撓性かつ変形可能である。ノートカード８２０ａを取付面から剥がす際、基材層８２１は（図３９に示すような）変形していない形状に戻り、入れ換え、スタックが可能であり、あるいは、閾値レベルの圧力を再度加えることで、別の場所においてそこに貼り付けることもできる。この実施形態では、インデックスカード８２０ａが（図３５および図３７に示すような）折り曲げられていない状態にあるとき、このようなインデックスカード複数枚を、個々のカードの流通目的で束にして一緒に貼り付けることができる。繰り返すが、インデックスカード８２０Ａは、束にした状態で実際に貼り付けられることを想定したものであるため、各インデックスカード８２０ａの基材層８２１の表側８２２にすべりやすくする粘着剥離層（図示せず）を設けて、隣り合うカードを束から分離しやすくしてもよい。上述したように、図３０〜図３４に示した実施形態についていえば、このような粘着剥離層を設けることで、スタンドオフ表面８２５には接着剤剥離コーティングがほどこされることになるため、スペーシング部８４５ａを折り曲げた後にノートカード８２０ａをさらに入れ換えやすくできることがある。
【００５４】
図４０〜図４１に示すような本発明の物品の別の実施形態。ノートカードまたはインデックスカード９２０としてのシートが、表側９２２とこれに対向する裏側９２４がある素材からなる基材層９２１で画定される。基材層９２１には、図４０のバックサイド９２４から見て、上縁９２８と、下縁９３０と、横縁９３２および９３４とがある。
【００５５】
基材層９２１の裏側９２４に感圧接着剤９５６の層を設ける。この接着剤の層については、連続した帯として設けてもよいし、接着剤ゾーン９５６ａ、９５６ｂ、９５６ｃなど、離散的な個別の接着剤ゾーンとしてもよい。一実施形態では、これらの接着剤ゾーンは、接着剤９５６の上またはこれに隣接して適用されるスペーサー層９１１の形状によって画定できるものである。このスペーサー層９１１については、接着剤９５６に貼り付けられたシート材で形成してもよいし、別途貼り付けることが可能なテープ材、あるいは基材層９２１の裏側９２４に適用されるマスキング材のコーティングで形成してもよい。
【００５６】
図４０に示す実施形態では、スペーサー層９１１には、基材層９２４の上縁９２８に沿って延在する上縁９１２がある。スペーサー層９１１は、その上縁９１２から接着剤９５６に向かって下方向に延在し、接着剤９５６の境界をなす「凹部」ゾーンの境界を画定して接着剤９５６のスタンドオフ要素として作用すべく形成される。接着剤９５６に隣接するスペーサー層９１１の縁９１３には、を１以上の弧状部分９１４を含み得る。この特定の実施形態では、各弧状部分９１４がその３辺で接着剤に接着されるため、スペーサー層９１１のスタンドオフ表面９１５に対して接着剤の露出表面９５９を効果的に奥に下げている。この関係を図４１に示すが、ここでスタンドオフ距離Ｓ5は接着剤９５６の露出表面９５９とスペーサー層９１１のスタンドオフ表面９１５との間に示されている。
【００５７】
スタンドオフ距離Ｓ5は、基材層９２１の裏側９２４にある接着剤９５６の露出表面９５９が隣り合う表面に接触しないように空間を保つあるいは離しておくだけの十分なものである。このため、本発明のノートカード９２０は、枚葉紙、机の上、カウンターの上または他の似たようなノートカードなどの隣り合う表面で、接着剤９５６によってこれに貼り付くことなく、取り扱い、動かすことが可能なものである。スペーサー層９１１を形成し、接着剤９５６の最下縁９５１よりも下に延在していても延在していなくてもよい下側の懸下部９１６を得てもよい。接着剤９５６の露出表面９５９の高さに対するスペーサー層９１１の高さ（間隔距離Ｓ5）と、隣り合う接着剤９５６の露出表面９５９の形状に対するスペーシング層９１１の形状は可変であるが、ノートカード９２０の固定機構の機能を実現できるような関係に保っておく必要はある。言葉を変えると、ノートカード９２０は他の似たようなノートカードと入れ換え可能であり、接着剤の露出表面とは逆の基材層の表側にレベル閾値（ｌｅｖｅｌ  ｔｈｒｅｓｈｏｌｄ）の圧力が加わらないうちは、取付面に貼り付くことなくそこにのせておくことができる。
【００５８】
図４０の実施形態に示す接着剤の露出表面に対するスペーサー層または隆起した要素のパターンは、本発明の、圧力で作用する固定機構構成の好適なパターンまたは形状の単なる一例にすぎない。本願明細書に記載の他の実施形態に他のパターンを図示し、さらに別のパターン例を図４２〜図４３に示す。
【００５９】
図４２では、ノートカードまたはインデックスカード１０２０としてのシートが、図２１の基材層７２１など、上述した基材層と同様の構造を持つ基材層１０２１によって画定される。図４２から明らかなように、基材層１０２１には、上縁１０２８と、下縁１０３０と、横縁１０３２および１０３４とがある裏側１０２４がある。
【００６０】
基材層１０２１の裏側１０２４に感圧接着剤１０５６の層を適用する。接着剤の層については、連続した帯として適用してもよいし、接着剤ゾーン１０５６ａ、１０５６ｂ、１０５６ｃなどのような、目立たず個別の接着剤ゾーンとして適用してもよい。接着剤ゾーンの形状は、横縁１０３２から横縁１０３４まで、基材層１０２１の裏側１０２４の端から端に間隔をあけておかれる１以上の隆起した要素１０６１の形状によって画定できる。図４２に示す一例としての実施形態では、隆起した要素各々が、基材層１０２１の上縁１０２８から接着剤１０５６の下縁１０５１に隣接する下側の端まで延在するほぼ線状の部材として示され、隆起した要素１０６１同士は平行である。各隆起した要素１０６１の下縁は、下縁１０５１の少し手前までにしてもよいし、そこと同じ位置で終わってもよいし、これをこえてもよい。それぞれの隆起した要素１０６１については、接着剤１０５１の上に適用してもよいし、あるいは接着剤１０５６の隣接するゾーンの間で基材層１０２１の裏側１０２４に直接適用してもよい。隆起した要素１０６１についてはそれぞれ、紙またはポリマーなどの素材のシートで形成してもよいし、別途貼り付けることが可能なテープ材、あるいは基材層１０２１の裏側１０２４にほどこされる（ニスコーティングなどの）マスキング材のコーティングで形成してもよい。
【００６１】
いずれの形態の隆起した要素１０６１でも、上述した隆起した要素またはスペーサー層と同じスタンドオフ機能を果たす、すなわち、各隆起した要素１０６１の高さが接着剤１０５６の露出表面１０５９の高さよりも高く、高さの差は、閾値レベルの圧力が加わらなければ接着剤１０５６の露出表面１０５９が対象面または隣り合う表面と接触して貼り付いてしまわないように空間を保つあるいは離しておくだけの十分なものである。言葉を変えれば、接着剤１０５６の露出表面１０５９の隣接する隆起した要素１０６１の間に「凹部」が画定される。
【００６２】
図４３は、使用者が選択した、露出した感圧接着剤の作用に基づいて圧力閾値接着剤機構を含む固定機構を画定するためのさらに他のパターンまたは形状を示している。図４３では、ノートカードまたはインデックスカード１１２０としてのシートを基材層１１２１で画定する。この基材層は、図２１の基材層７２１などの上述した実施形態の基材層と構造が類似している。基材層１１２１には、（図４３から明らかなように）裏側１１２４と、上縁１１２８と、下縁１１３０と、横縁１１３２および１１３４とがある。
【００６３】
感圧接着剤１１５６の層を基材層１１２１の裏側１１２４に適用する。この接着剤１１５６の層については、連続した帯として適用してもよいし、接着剤ゾーン１１５６ａ、１１５６ｂ、１１５６ｃ、１１５６ｄなどのような、離散的な個別の接着剤ゾーンとして適用してもよい。（上述したように、このような接着剤ゾーンは、接着剤１１５６の上またはこれに隣接して適用される一例としての隆起した要素１１６１および１１６５などのように１以上の隆起した要素の形状によって画定できるものである）。隆起した要素については、接着剤１１５６に貼り付けられるシート材で形成してもよいし、別途貼り付けることが可能なテープ材あるいは、ニスなど基材層１１２１の裏側１１２４に適用されるマスキング材のコーティングで形成してもよい。
【００６４】
図４３に示す実施形態では、隆起した要素１１６１を、その第１の側縁１１３２から第２の横縁１１３４まで、基材層１１２１の裏側１１２４の端から端まで延在する蛇紋要素として示してある。隆起した要素１１６１は、接着剤１１５６の帯の範囲内に設けられた状態で示されているが、時にはその下縁１１５１をこえるなど、接着剤１１５６の縁をこえて延在してもよい。また、隆起した要素１１６１は均一な波形に示されているが、波長と振幅が均一でなくてもよい。図４３に示す例としての実施形態では、隆起した要素１１６５は、隆起した要素１１６１の鏡像として、同じように蛇紋形で、横縁１１３２から横縁１１３４まで基材層１１２１の裏側１１２４の端から端に延在して示されている。
【００６５】
一実施形態において、接着剤１１５６の露出表面１１５９と、別のノートカードまたは壁またはカウンターの上の当接表面との間に必要なスタンドオフ距離を得るには（隆起した要素１１６５など）の単一の隆起した要素だけで十分なことがある。隆起した要素は、隆起した要素が１つであるかそれより多いかを問わず、本発明のシートが、望ましい「必要に応じた」圧力密着特性を発揮し、かつ、接着剤とは反対側のシート表側に閾値レベルの圧力が加わらない限り入れ換え可能だえるように、接着剤１１５６の露出表面１１５９に効果的な「凹部」を画定すべく形成されている。
【００６６】
たとえば、図２１、図４２、図４３に図示した隆起した要素は、比較的狭い線として示されているが、（図４０のスペーサー層９１１または図３０のスペーシング部８４５など）さまざまな幅の隆起した要素で十分だろうと思われる。また、市松模様は斜交平行パターンなど、隆起した要素の他のパターンでも十分なことがあろう。
【００６７】
接着剤がそのために画定された凹部をこえて対象面と接触できるよう変形しなければならない接着剤のある作用層は、このような接触を可能にできる程度に可撓性でなければならず、さらに、対象面から剥がされた後は実質的に元の形状に戻って凹部を再度画定できるだけの弾力性がなければならない。基材層がこの目的を果たす実施形態では、厚さが０．００４インチから０．０１０インチの基材層が好適であり、一層好ましくは０．００４インチから０．００８インチ、最も好ましくは０．００７５インチである。スタンドオフ距離は、本発明のシートアセンブリの機能的な特徴に影響するもうひとつの要因である。０．０００５インチから０．０１０のスタンドオフ距離が好適であり、一層好ましくは０．００２インチから０．００６インチ、さらに一層好ましくは０．００１５インチから０．００２５インチである。別個の隆起した要素間の空間または凹部をその間に画定しているスペーサー層の部分間の空間も、本発明のシートアセンブリの機能性を画定する役目を果たす特徴のひとつである。このような間隔距離については、０．２５インチから０．７５インチ、一層好ましくは０．３７５インチから０．６２５インチの範囲にできる。上述したように、本発明の固定機構の圧力閾値接着剤機構の作用性には、使用する接着剤の凝集性や、シートの表側に適用できる耐スリップ性（ｓｌｉｐ  ｒｅｓｉｓｔａｎｔ）粘着剥離コーティングの有無とその特徴などの他の要因が影響する。本願明細書に示す隆起した要素、凹部、スペーサー層の形状および関係は単なる一例であり、ここに開示した特定の向きや構成に本発明を限定することを意図したものではない。
【００６８】
以下、実施例を参照して本発明についてさらに説明するが、これらの実施例にあげる特定の装置および方法ならびに、他の条件および詳細については、本発明を極端に限定するものと解釈すべきでない。材料ならびに成分はいずれも、特に明記する場合ならびに自明な場合を除いて市販のものであるか当業者間で周知のものである。これらの実施例はもともと例示にすぎず、どのような形にしろ本発明を限定するものではない。
【実施例】
【００６９】
第Ａ組の例
上述したように、有用性を犠牲にすることなく、本発明のインデックスカードアセンブリのデザインに対してさまざまなバリエーションを作ることが可能である。本発明のインデックスカードの一具体例として、カード用紙で作られた３×５インチのカードがあげられる。このカード用紙は、秤量９０ポンドの紙であり、厚さ０．００７５インチである。四隅は半径０．２５インチで丸められている。このインデックスカードには、長辺（インデックスカードの５インチの辺）の端から端まで水平に間隔をあけた筆記用の青い線が表側に印刷されている。インデックスカードの上縁に沿った紙のないゾーンは中心に設けられ、約２インチのエッジギャップ（Ｌ）がある。紙のないゾーンの深さ（Ｄ）は０．４３８インチであり、図１および図２に示した形状を想定して内側の四隅が半径０．５０インチで丸められている。幅０．５インチのフィルム接着剤テープ片を、インデックスカードの上縁に隣接して紙のないゾーンとエッジギャップを覆うようにその表側に貼り付ける。ここで使用するフィルムと接着剤の構成は、ミネソタ州セントポールの３Ｍ社から入手可能なＮｏ．８１１の繰り返し位置決めが可能なテープ製品である。このテープ片はアセテート製であり、厚さ約０．００１６インチで、ミクロスフェア接着剤のコーティングが厚さ０．０００４インチの深度までコーティングされている。フィルムの裏面に露出した接着剤は、カード用紙の厚さ分（０．００７５インチ）だけインデックスカードの裏側よりも奥に入っている。フィルムの前面には、最終使用者がインデックスカードの並べ替えに利用できるようにカラーコーティングが印刷されている。
【００７０】
第Ｂ組の例
壁に吊り下げた場合の静止角度試験（ＳＡＴ）
静止角度試験は、剥離角度と印加力が一定である応用負荷剥離試験である。この試験では、垂直に近い表面に対する接着剤シートの保持力を測定する。紙の接着剤試験サンプルを、幅２インチ、長さ３インチに切った。各サンプル裏面の接着剤片を、シートの短辺とほぼ平行になるようにその上縁付近に位置決めする。試験の前にサンプルを一定の温度（２２℃）と湿度（５０％）で少なくとも２４時間かけて平衡化する。サンプルすなわち下向きの接着剤の縞（ｓｔｒｉｐｅ）を、接着剤の縞を矩形の鋼試験板の天縁と平行に配置することで、清潔な塗装鋼板の水平の試験表面においた。１．５ポンドのサンプルローラ（１．５ポンド、幅１．７５インチ、半径１．８７５インチ、硬質ゴムコーティングで覆われている）１サイクル（２回）で接着させる。各サンプルごとに、２通りのロールダウン法でデータを収集した。「入れ換え」モードと呼ばれる第１の方法では、シートの前面を横断する形で横方向に均等な圧力を印加するものであり、接着剤を作用させないようにしている。この方法では、接着剤の縞とスタンドオフの上で、接着剤の縞とスタンドオフに平行な方向に、ローラを直接まわす。スタンドオフ間の空間よりもローラの幅の方が広いため、ローラがスタンドオフの端から端までわたり、その下にある鋼板の試験表面に接着剤を接触させることはなかった。第２のロールダウン法が「作用」モードである。この場合、接着剤の縞に垂直な方向にローラをまわした。この場合、ローラの直径がスタンドオフ間に収まる程度に小さいため、紙がずれて接着剤が鋼板の試験表面に接触する。
【００７１】
いずれの場合も、サンプルを付けた板を、その試験表面が水平に対して６０度の鋭角をなすようにして配置し、試験表面に貼り付けておいたサンプルの粘着性のない下縁にすぐに１００ｇのおもりを取り付けた。４つのレプリカそれぞれについて、不合格（サンプルが板から落ちる）までの時間を秒単位で測定した。各レプリカに異なる板とサンプルを利用した。分析用に不合格までの時間の平均を取った。
【００７２】
重ね剪断試験
重ねシート試験法で、引張荷重下にて剪断でシート間の接着を破壊するのに必要な力を測定する。選択的に作用させたシートの２つの同様のサンプル同士を接着させた。シート試験体を、幅２インチ、長さ３インチに切った。接着剤の縞を、シートの短辺と平行になるように上縁付近で各シートの裏面においた。試験の前に試験体を一定の温度（２２℃）と湿度（５０％）で少なくとも２４時間かけて平衡化した。どちらのシートでも接着剤の縞を下に向けて、裏に接着剤のある第１のシートを同様の裏に接着剤のある第２のシートの上に整列配置することで、シート同士を重ね接着させた。接着剤片を含む第１のシートの頂部の１インチを、第２のシートの底の１インチと重ねた。１．５ポンドのサンプルローラ１サイクル（２回）で接着させた。各サンプルごとに、上述したような入れ換えモードと作用モードでローリングして、データを収集した。
【００７３】
引っ張りモードで、分離速度を１分あたり１インチとして、シンテック（Ｓｉｎｔｅｃｈ）メカニカルテスター（ミネソタ州エデンプレイリーのエムティエスシステムコーポレーション（ＭＴＳ  Ｓｙｓｔｅｍ  Ｃｏｒｐｏｒａｔｉｏｎ，Ｅｄｅｎ  Ｐｒａｒｉｅ，  Ｍｉｎｎｅｓｏｔａ）から入手可能）を利用してボンドアセンブリを試験した。頂部での負荷を記録し、４つのレプリカの平均を取った。
【００７４】
材料
カタログ番号６３５１のポストイット（登録商標）リスティッカブルインデックスカード（Ｒｅｓｔｉｃｋａｂｌｅ  Ｉｎｄｅｘ  Ｃａｒｄｓ）；カタログ番号６５５のポストイット（登録商標）ノート（Ｎｏｔｅｓ）、カタログ番号８１０のスコッチ（登録商標）マジックテープ（登録商標）（Ｍａｇｉｃ  Ｔａｐｅ）（いずれもミネソタ州セントポールの３Ｍ社から入手可能）を利用して、後述する実施例のサンプルを構成した。インデックスカードのサンプルは、厚さ約７．５ミル、幅３インチ、長さ５インチの紙である。この紙は１０８ポンドのタグストックである。幅０．６８７５インチの再位置決め可能な接着剤の縞を、シートの長辺の長さに沿ってその上縁に隣接してコーティングする。改変していない形で、これらのシートには選択的に作用させた接着剤がないため、簡単には入れ換えできない（すなわち、一緒にくっついている）。ポストイット（登録商標）ノートのサンプルで作ったシートのサンプルは、紙厚が０．００４インチであり、２０ポンドの結合であること以外は、インデックスカードのシートのサンプルと類似している。ポストイット（登録商標）ノートのサンプル上で、接着剤の縞はシートの上縁に沿って幅０．６インチである。
【００７５】
スコッチ（登録商標）マジックテープ（登録商標）の細片をインデックスカードのサンプルとポストイット（登録商標）ノートのサンプルに積層し、図２１および図２２Ａに示すシートレイアウトに近いフォーマットで、高さと分離距離（接着剤の縞幅）をさまざまに変えてスタンドオフを作り出すことで、選択的に作用させた接着剤シートを生成した。テープのスタンドオフを、接着剤の縞に平行で両側にある紙に貼り付けた。いくつかの例では、テープのスタンドオフが接着剤の一部を覆う形になった。スコッチ（登録商標）マジックテープ（登録商標）の層を重ねて高さ０．００２インチを超えるスタンドオフを作った。
【００７６】
実施例１〜２および比較例Ａ
タブ（Ｔａｂｓ）１および２に、選択的に作用させた接着剤シートを生成する機能にスタンドオフ高さがおよぼす影響について示す。各サンプルシートのスタンドオフの寸法と位置を表１に示す。実施例Ａにはスタンドオフがまったくない。実施例１および２に関しては、「上側の」スタンドオフが、接着剤の縞の上にシートの天縁に沿って位置していた。「下側の」スタンドオフは、上側のスタンドオフと平行に、上側のスタンドオフに対して垂直な方向に接着剤の縞の幅と等しい間隔をあけて位置していた。スタンドオフの幅は正確に同じではないが、図示のバリエーションはカードの性能に劇的に影響するものではない。
【００７７】
【表１】
2007520382.tif 000003
【００７８】
【表２】
2007520382.tif 000004
【００７９】
実施例Ａでは、作用モードと入れ換えモードで同様の反応が得られる。どちらのモードでも、サンプルシートは別のカードや垂直方向に懸下させた板に対してほどほど貼り付いていた。入れ換えモードでの重ね剪断力と静止角度吊り下げ時間の値が比較的大きいことから、カードが満足のいくレベルで入れ換わらないことが分かる。実施例２および３から明らかなように、接着剤の縞の両側にスタンドオフを加えると、２つのモード間の性能の違いから、いくつかの例で接着剤を作用させることができる。実施例Ａと比較して、重ね剪断力および静止角度吊り下げ時間は、実施例２および３では入れ換えモードでかなり小さくなり、これによってサンプルシートの入れ換えが可能になった。作用モードでの重ね剪断力および静止角度吊り下げ時間も、実施例Ａと比較して実施例１および２では小さくなるが、必要なときにサンプルシートを表面に貼り付けさせるだけの十分なものである。スタンドオフ高さを高くすると、接着剤が接着面からさらに遠くなり、よって、重ね剪断力および静止角度保持時間の値がどちらのモードでも小さくなることから分かるように、接着剤を作用させるのが一層難しくなる。
【００８０】
実施例３〜５
実施例３〜５は、選択的に作用させた接着剤シートを生成する機能にスタンドオフ間の距離がおよぼす影響について示している。各例のスタンドオフの寸法と位置を表３に示す。「上側の」スタンドオフが、接着剤の縞の上にシートの天縁に沿って位置していた。「下側の」スタンドオフは、上側のスタンドオフと平行に、上側のスタンドオフに対して垂直な方向に接着剤の縞の幅と等しい間隔をあけて位置していた。
【００８１】
実施例３〜５の試験結果を表４に示す。スタンドオフ間の距離を長くすると、より多くの接着剤エリアが接着面と接触できるようになるため、重ね剪断力および静止角度保持時間の値が大きくなる。実施例３は、接着剤の縞の幅０．２５インチでは、上述したロールダウン法で接着剤を作用させるのに十分な大きさではないことを示している。このシートのサンプルはうまく入れ換えられるものであるが、垂直面に貼り付いて吊り下がる機能については十分ではなかった。
【００８２】
【表３】
2007520382.tif 000005
【００８３】
【表４】
2007520382.tif 000006
【００８４】
実施例６〜７および比較例ＡおよびＢ
表５および６に、選択的に作用させた接着剤シートを生成する機能に紙厚がおよぼす影響について示す。サンプルシートの寸法を表５に示す。実施例ＡおよびＢにはスタンドオフが全くなく、ここで、実施例Ａはインデックスカードのサンプルであり、実施例Ｂはノートシートのサンプルである。試験結果を表６に示す。実施例６と実施例Ａとの間の両モードについての重ね剪断力および静止角度保持時間の差は、紙厚が増したことで実施例７と実施例Ｂとの差よりも大きい。サンプル紙の剛性が小さくなるにつれて、どちらのモードでも接着力が大きくなり、最後にはシートが入れ換えできないほどになった。実施例６および７はそれぞれ、実施例ＡおよびＢに比して作用モードで重ね剪断力と静止角度保持時間の値が大きく、これに対応して入れ換えモードでは値が小さいため、シートを入れ換えて表面に乗せることができる。
【００８５】
【表５】
2007520382.tif 000007
【００８６】
【表６】
2007520382.tif 000008
【００８７】
以上、好ましい実施形態を参照して本発明について説明したが、本発明の範囲および趣旨を逸脱することなく形態および詳細に変更を加えられることは当業者であれば分かるであろう。
【図面の簡単な説明】
【００８８】
【図１】前側の主面の方から見た、インデックスカードとしての本発明の実施形態である。
【図２】図１に示すインデックスカードを、その後ろ側の主面の方から見た図である。
【図３】図１の線３−３に沿った断面図である。
【図４】図１の線４−４に沿った断面図である。
【図５】図４の線５−５に沿った、図４のインデックスカードの上面図である。
【図６】垂直な支持体面に対する図４のインデックスカードの粘着性を示す断面図である。
【図７】図６の線７−７に沿った、図６のインデックスカードおよび支持体の上面図である。
【図８】各インデックスカードの表面で露出した接着剤が作用していない状態で水平な支持体面上に置かれた、図１〜図７に示すインデックスカードなどのインデックスカードを重ねた束の側面図である。
【図９】インデックスカードの裏側から見た、本発明の第２の実施形態を示している。
【図１０】インデックスカードの上から見た、本発明の第３の実施形態を示している。
【図１１】支持体表面に貼り付いた状態の図１０のインデックスカードを示している。
【図１２】インデックスカードの裏側から見た、本発明の第４の実施形態を示している。
【図１３】インデックスカードの裏側から見た、本発明の第５の実施形態を示している。
【図１４】インデックスカードの表側から見た、本発明の第６の実施形態を示している。
【図１５】インデックスカードの裏側から見た、本発明の第７の実施形態を示している。
【図１６】図１５の線１６−１６に沿った断面図である。
【図１７】垂直な支持体表面に対するインデックスカードの粘着性を示している、図１６のインデックスカードの断面図である。
【図１８】インデックスカードの裏側から見た、本発明の第８の実施形態を示している。
【図１９Ａ】図１８の線１９−１９に沿った断面図である。
【図１９Ｂ】垂直な支持体表面に対するインデックスカードの粘着性を示している、図１８のインデックスカードの断面図である。
【図２０】図１８の線２０−２０に沿った断面図である。
【図２１】ノートカードの裏側から見た、本発明の第９の実施形態を示している。
【図２２Ａ】図２１の線２２−２２に沿った断面図である。
【図２２Ｂ】垂直な支持対表面に対するノートカードの粘着性を示している、図２１のノートカードの断面図である。
【図２３】図２１の線２２−２２に沿った断面図のような断面図で、本発明の第１０の実施形態を示している。
【図２４】図２１の線２２−２２に沿った断面図のような断面図で、本発明の第１１の実施形態を示している。
【図２５】ノートカードの裏側から見た、本発明の第１２の実施形態を示している。
【図２６】ノートカードの裏側から見た、本発明の第１３の実施形態を示している。
【図２７Ａ】図２６の線２７−２７に沿った断面図である。
【図２７Ｂ】図２６の線２７−２７に沿った断面図のような断面図で、本発明の第１４の実施形態を示している。
【図２８】ノートカードの裏側から見た、本発明の第１５の実施形態を示している。
【図２９】図２８の線２９−２９に沿った断面図である。
【図３０】ノートカードの裏側から見た、本発明の第１６の実施形態を示している。
【図３１】スペーシング部が折り曲げられてノートカードの裏側に貼り付けられた状態の図３０のノートカードを示している。
【図３２】図３０の線３２−３２に沿った断面図である。
【図３３】ノートカードのスペーシング部がいくらか折り曲げられている状態の図３０の線３２−３２に沿った断面図である。
【図３４】図３１の線３４−３４に沿った断面図である。
【図３５】ノートカードの裏側から見た、本発明の第１７の実施形態を示している。
【図３６】スペーシング部が折り曲げられてノートカードの裏側に貼り付けられた状態の図３５のノートカードを示している。
【図３７】図３５の線３７−３７に沿った断面図である。
【図３８】ノートカードのスペーシング部がいくらか折り曲げられている状態の図３５の線３２−３２に沿った断面図である。
【図３９】図３６の線３９−３９に沿った断面図である。
【図４０】ノートカードの裏側から見た、本発明の第１８の実施形態を示している。
【図４１】図４０の線４１−４１に沿った断面図である。
【図４２】ノートカードの裏側から見た、本発明の第１９の実施形態を示している。
【図４３】ノートカードの裏側から見た、本発明の第２０の実施形態を示している。
【図１】
2007520382.tif 000009
【図２】
2007520382.tif 000010
【図３】
2007520382.tif 000011
【図４】
2007520382.tif 000012
【図５】
2007520382.tif 000013
【図６】
2007520382.tif 000014
【図７】
2007520382.tif 000015
【図８】
2007520382.tif 000016
【図９】
2007520382.tif 000017
【図１０】
2007520382.tif 000018
【図１１】
2007520382.tif 000019
【図１２】
2007520382.tif 000020
【図１３】
2007520382.tif 000021
【図１４】
2007520382.tif 000022
【図１５】
2007520382.tif 000023
【図１６】
2007520382.tif 000024
【図１７】
2007520382.tif 000025
【図１８】
2007520382.tif 000026
【図１９Ａ】
2007520382.tif 000027
【図１９Ｂ】
2007520382.tif 000028
【図２０】
2007520382.tif 000029
【図２１】
2007520382.tif 000030
【図２２Ａ】
2007520382.tif 000031
【図２２Ｂ】
2007520382.tif 000032
【図２３】
2007520382.tif 000033
【図２４】
2007520382.tif 000034
【図２５】
2007520382.tif 000035
【図２６】
2007520382.tif 000036
【図２７Ａ】
2007520382.tif 000037
【図２７Ｂ】
2007520382.tif 000038
【図２８】
2007520382.tif 000039
【図２９】
2007520382.tif 000040
【図３０】
2007520382.tif 000041
【図３１】
2007520382.tif 000042
【図３２】
2007520382.tif 000043
【図３３】
2007520382.tif 000044
【図３４】
2007520382.tif 000045
【図３５】
2007520382.tif 000046
【図３６】
2007520382.tif 000047
【図３７】
2007520382.tif 000048
【図３８】
2007520382.tif 000049
【図３９】
2007520382.tif 000050
【図４０】
2007520382.tif 000051
【図４１】
2007520382.tif 000052
【図４２】
2007520382.tif 000053
【図４３】
2007520382.tif 000054
【国際調査報告】
2007520382.tif 000055
2007520382.tif 000056
2007520382.tif 000057